Podtech/llm-jp-corpus-v4-ja_patent huggingface dataset:
(57)【要約】【課題】初心者及び習い始めた人達にそろばんの仕組み、置かれた玉の位置、数値の読み方を提供する。【解決の手段】そろばん玉▲１▼が動く桁▲２▼部分に数字を０〜９まで入れたスライド板▲３▼を設けた構造を特徴とする。【選択図】図１
2009193038.tif 000002
【特許請求の範囲】
【請求項１】
そろばん玉▲１▼を上下に移動すると、その玉の桁▲２▼に数字が現れ今置かれた玉の状態（数値）が数字で読み取れる様にしたそろばん。
【発明の詳細な説明】
【発明の詳細な説明】
【技術分野】
【０００１】この発明は、そろばんの練習機に関するものである。
【背景技術】
【０００２】従来、玉の桁部分に数字が現れ数字で読み取れる様にしたそろばんは無かった。
【発明が解決しようとする課題】
【０００３】従来のそろばんは、置かれた玉の位置を数値（数字）で表示した物は無く、初心者又は習い始めた人達にそろばんの仕組みを教えるのに大変役立つ。
【課題を解決するための手段】
【０００４】そろばん玉▲１▼が動く桁▲２▼部分に数字を入れたスライド板▲３▼を設け置かれた玉▲１▼の状態を数値（数字）で読み取れる様にした。
【発明を実施するための最良の形態】
【０００５】本発明の構造は、そろばん玉が動く桁部分に数字を０〜９まで入れたスライド板を設け、置かれた玉の状態を、その玉の桁下部に数字が現れる様にしたものである。
【発明の効果】
【０００６】初めて、そろばんを覚える時（習い始めた時）に動かした玉の位置（置かれた玉の位置）を１の位、１０の位、１００の位、１０００の位と数字で読み取れるため、初歩のそろばん練習者には取り付き易く、そろばんの仕組みも理解出来る。
【図面の簡単な説明】
【図１】本発明の正面図である。
【符号の説明】
（１）そろばん玉▲１▼    （２）桁▲２▼    （３）スライド板▲３▼
【図１】
2009193038.tif 000003
(57)【要約】【課題】  風がどのような方向から吹いても左右方向にのみ揺動して注意を惹き、宣伝効果や装飾効果が充分発揮できるようにした販促用等の表示具を提供すること。【解決手段】  表示札を装着するための鳩目または紙クリップに２本のバネ線を固着し、各バネ線の他端をそれぞれバネクリップの２箇所の握り部の前後に固着したことを特徴とする。【選択図】図１
2009193039.tif 000002
【特許請求の範囲】
【請求項１】
表示札を装着するための鳩目または紙クリップに２本のバネ線を固着し、各バネ線の他端をそれぞれバネクリップの２箇所の握り部の前後に固着したことを特徴とする販促用等の表示具。
【発明の詳細な説明】
【技術分野】
【０００１】  取付けた広告又は装飾等の表示板が風等の僅かな外力によって左右に揺動して注意を惹き、スーパー等の店舗で商品の広告又は店内、外の宣伝、装飾等を助長することに適した販促用等の表示具に関するものである。
【発明の開示】
【発明が解決しようとする課題】
【０００２】  従来より広告又は装飾等の表示板を取付けて商品の広告又は店内、外の装飾等を助長する表示具は多数知られている。【０００３】  その一例として、表示板の一部にコイルスプリングの一端を固着し、他端を取付個所に適宜固着するようにしたものがあるが、コイルスプリングの場合、風等の僅かな外力によって前後左右どの方向にも揺動するため、表示板が捻ったりして表示内容が正しく認識されず、表示板による宣伝効果や装飾効果が充分発揮されないという問題点があった。【０００４】  本発明は、上記従来技術の問題点を解決するために、風がどのような方向から吹いても左右方向にのみ揺動して注意を惹き、宣伝効果や装飾効果が充分発揮できるようにした販促用等の表示具を提供することを目的とするものである。
【課題を解決するための手段】
【０００５】  本発明に係る表示具は、表示札を装着するための鳩目または紙クリップに２本のバネ線を固着し、各バネ線の他端をそれぞれバネクリップの２箇所の握り部の前後に固着したことを特徴とするものである。
【発明の作用】
【０００６】  本発明では、２本のバネ線が重なる前後方向の抗力は左右方向よりも大きいため、表示札は左右にのみ揺動する。
【実施例】
【０００７】  図１は、本発明表示具に表示札を取り付けた状態の正面図、図２は、同側面図、図３は、本発明表示具の表示札を変えた状態の正面図である。【０００８】  図において、１は、表示板Ａを固着するための鳩目で、その鳩目１の前後に２本のバネ線２、２の一端がそれぞれ溶着固定されており、各バネ線の他端をそれぞれバネクリップ３の２箇所の握り部３−１、３−１の前後に溶着固定したものである。【０００９】  図１のように表示板Ａを赤や青で着色した合成樹脂製の手形板とし、店舗外のフェンス等の被着物Ｂにバネクリップ３で挟んで取り付ければ、来店される顧客の注意を惹き、手形板が左右に揺れることによって顧客を歓迎するという意味が伝わり、購買意欲の促進を図れるものである。【００１０】  また、図３のように鳩目１の代わりに紙を挟める紙クリップとし、表示板Ａを「今売れています」、「特売」等の文字や絵を表記した商品案内板を紙クリップ１に挟み、該当商品売場の棚板等にバネクリップ３で挟んで取り付ければ、商品案内板が左右に揺れて注意を惹き、店舗内の商品宣伝の効果が上がるものである。
【発明の効果】
【００１１】  以上述べた如く、本発明に係る販促用等の表示具によれば、表示札を装着するための鳩目または紙クリップに２本のバネ線を固着し、各バネ線の他端をそれぞれバネクリップの２箇所の握り部の前後に固着したもので、２本のバネ線が重なる前後方向の抗力が左右方向よりも大きくなるようにして、表示札が左右にのみ揺動するようにしてあるため、従来の表示具のように表示板が捻ったりして表示内容が正しく認識されず、表示板による宣伝効果や装飾効果が充分発揮されないという問題点が解消でき、スーパー等の店舗での商品の広告又は店内、外の宣伝、装飾等を助長することに最適な販促用等の表示具といえるものである。
【００１２】  また、表示板を支持するものにバネ線を使用してあるので、どの方向に折り曲げても使用することができ、展示方法の変化をつけることができる効果もある。
【図面の簡単な説明】
【００１３】
【図１】  本発明表示具に表示札を取り付けた状態の正面図である。
【図２】  同側面図である。
【図３】  本発明表示具の表示札を変えた状態の正面図である。
【符号の説明】
【００１３】    １          鳩目又は紙クリップ
２          バネ線
３          バネクリップ
【図１】
2009193039.tif 000003
【図２】
2009193039.tif 000004
【図３】
2009193039.tif 000005
(57)【要約】【課題】  気液二相流動を伴う機器内部の流動特性や伝熱特性を正確にシミュレーションするためには、気泡個々の合体を伴う運動を計算する必要がある。しかし、個々の気泡に対して偏微分方程式で表現される運動方程式を解く従来の手法は計算負荷が膨大になるために実用計算には適用できない。【解決手段】  本発明による拡張二流体モデルでは、気泡群をグループ化して、グループ毎に気相全体の流速に対する横ドリフト速度を代数スリップモデルで求め、横ドリフト速度をグループ毎の連続方程式に反映させる。縦方向についても同様に縦ドリフト速度を求め、グループ毎の連続方程式に反映させる。以上の解析手法により、多数の気泡径グループの運動方程式を代数方程式で表現して、解くべき微分方程式の数を減らすことによって計算負荷を減らし、数値安定性を向上させるアルゴリズムを実現するシステムを構築する。【選択図】図１
2009193555.tif 000002
【特許請求の範囲】
【請求項１】
気泡群を気泡径の範囲によりグループ化して、グループ内では同じ代表径の気泡が同じ運動をするものと仮定し、代数スリップモデルを使用してグループ毎に抗力、揚力、壁面潤滑力、乱流拡散力の違いから気相全体の流速に対する横ドリフト速度を求め、各グループの速度差をグループ毎の連続方程式に反映させることにより、多数の気泡径グループの運動方程式を代数方程式で表現して、解くべき微分方程式の数を減らすことにより計算負荷を減らす解析手法を使用するプログラム。
【請求項２】
気泡群を気泡径の範囲によりグループ化して、グループ内では同じ代表径の気泡が同じ運動をするものと仮定し、代数スリップモデルを使用してグループ毎に抗力、揚力、壁面潤滑力、乱流拡散力の違いから気相全体の流速に対する横ドリフト速度を求め、各グループの速度差をグループ毎の連続方程式に反映させることにより、多数の気泡径グループの運動方程式を代数方程式で表現して、解くべき微分方程式の数を減らすことにより計算負荷を減らす解析手法を使用するプログラムを記録したコンピュータ読み取り可能な記録媒体。
【請求項３】
気泡群を気泡径の範囲によりグループ化して、グループ内では同じ代表径の気泡が同じ運動をするものと仮定し、代数スリップモデルを使用してグループ毎に抗力、揚力、壁面潤滑力、乱流拡散力の違いから気相全体の流速に対する横ドリフト速度を求め、各グループの速度差をグループ毎の連続方程式に反映させることにより、多数の気泡径グループの運動方程式を代数方程式で表現して、解くべき微分方程式の数を減らすことにより計算負荷を減らす解析手法を使用するプログラムを実行するための装置。
【発明の詳細な説明】
【技術分野】
【０００１】  本発明は、気液二相流動を伴う機器内部における気泡合体を考慮した流動特性あるいは伝熱特性に関わるシミュレーションを対象とする。ここで述べる方法は、気泡個々の合体挙動を考慮して計算負荷がかからない解析手法に関する。
【背景技術】
【０００２】  気液二相流動を伴う機器内部の流動特性や伝熱特性を正確にシミュレーションするためには、気泡個々の合体を伴う運動を計算する必要がある。しかし、個々の気泡に対して偏微分方程式で表現される運動方程式を解く従来の手法は計算負荷が膨大になるために実用計算には適用できない。
【非特許文献１】秋山  守，有冨  正憲；″新しい気液二相流数値解析，″コロナ社（２００２）
【発明の開示】
【発明が解決しようとする課題】
【０００３】  気泡に作用する抗力、揚力、壁面潤滑力、乱流拡散力は気泡径に依存するため、個々の気泡は気泡径により異なる運動をする。機器内部の流動特性や伝熱特性を正確にシミュレーションするためには、気泡径による運動の違いとその運動により影響される気泡合体挙動を計算する必要がある。これらを計算するためには気泡径毎に運動方程式を解くことが要求されるが、現状の計算機の能力では計算負荷が膨大になり計算が実現できないことが本発明が解決しようとする課題である。
【課題を解決するための手段】
【０００４】  上記の課題を解決するために、気泡群を気泡径の範囲によりグループ化して、グループ内では同じ代表径の気泡が同じ運動をするものと仮定する。横方向、つまり水平断面内の気泡径分布を計算するために、気泡グループ毎に横方向の運動を考慮する。気泡グループ毎に慣性項（時間項）を含めた運動方程式を解くことが望ましいが、実用問題では平衡状態に達するまでの緩和時間が短いものとして、代数スリップモデルで気泡グループ毎に抗力、揚力、壁面潤滑力、乱流拡散力を考慮して横ドリフト速度を求める。すなわち、気泡グループ毎の運動方程式（慣性項、抗力、揚力、壁面潤滑力、乱流拡散力の式）を解く代わりに、気相全体の運動方程式（慣性項、抗力、揚力、壁面潤滑力、乱流拡散力の式）と気泡グループ毎の横ドリフト速度を求める式（抗力、揚力、壁面潤滑力、乱流拡散力の式）を解いて、得られた気相全体の流速と気泡グループ毎の横ドリフト速度を、気泡グループ毎の連続方程式に反映する。縦方向（鉛直方向）についても同様にドリフト速度を求め、この縦ドリフト速度を気泡グループ毎の連続方程式と気泡合体モデルの衝突頻度における数密度に反映する。【０００５】  上記の解析手法を実現するための解析手順は次の通りである。（１）初期場を与える。（２）気泡径をグループに分ける。（３）気泡グループ毎に抗力、揚力、壁面潤滑力、乱流拡散力を求める。（４）分散ｋ‐εモデルを解いて、液相のｋとεを求める。（５）液相の運動方程式を解いて、液相の速度を求める。（６）気相全体の運動方程式を解いて、気相の速度を求める。（７）気泡グループ毎の運動方程式の平衡状態の式を解いて、気泡グループ毎のドリフト速度および絶対速度を求める。（８）液相の連続方程式を解いて、液相の体積割合を求める。（９）気泡合体のソースタームを計算し、気泡グループ毎の連続方程式を解いて、気泡グループ毎の体積割合を求める。（１０）液相の連続方程式と気泡グループ毎の連続方程式から導出したポアソン方程式を解いて、圧力補正量を求める。（１１）圧力補正量を使って、圧力と気相速度と液相速度を補正する。（１２）圧力補正量が十分に小さくない場合や他の基礎方程式を満足していない場合には（３）に戻る。圧力補正量が十分に小さく他の基礎方程式を満足している場合には次の時間ステップに進む。
【発明の効果】
【０００６】  本発明により、偏微分方程式で表現される気泡径毎の運動方程式を解く代わりに、代数方程式で表現される気泡径毎の運動方程式を解くことによって、計算負荷を削減することができる。また、偏微分方程式を代数方程式に変えることによって数値的な安定性を向上させることができる。これにより、機器内部の流動特性や伝熱特性を気泡の合体を考慮してシミュレーションすることが可能になる。
【発明を実施するための最良の形態】
【０００７】  図１は本発明の計算手法の実施手順をフローチャートに示したものである。
【図面の簡単な説明】
【０００８】
【図１】本発明の計算手法の実施手順を示したフローチャートである。
【図１】
2009193555.tif 000003
(57)【要約】【課題】  ブルウィップ現象を引き起こさない為に受注変動より少ない変動で発注し、尚且つ適正な在庫数量を維持するための発注数量を算出すること。【解決手段】  発注数量を、目標在庫水準：α、現在の需要予測値：β、現在の理論在庫数量：γ、及び係数：Ｋを用い、【数３】
2009193554.tif 000006
という数式で計算する。ただしここで、現在の理論在庫数量：γは発注済未着在庫及びその回数分の需要数量を考慮した在庫数量であり、以下の数式等で計算する。【数４】
2009193554.tif 000007
ただしここで、γ：現在の理論在庫数量、ｍ：リードタイム（整数）、Ｘ（ｎ）：ｎ期前の発注数量（ｎ＜ｍ）、及び現在需要予測値：β、とする。【選択図】なし【特許請求の範囲】
【請求項１】
購買発注数量決定において、需要数量と適正在庫水準維持の為の数量を、それぞれ個別に計算して発注する方法について、特に、目標在庫水準：α、現在の需要予測値：β、現在の理論在庫数量：γ、及び係数：Ｋを用い、
【数１】
2009193554.tif 000004
という数式で計算する方法。
ただしここで、現在の理論在庫数量：γは発注済未着在庫及びその回数分の需要数量を考慮した在庫数量であり、以下の数式等で計算するものとする。
【数２】
2009193554.tif 000005
ただしここで、γ：現在の理論在庫数量、ｍ：リードタイム（整数）、Ｘ（ｎ）：ｎ期前の発注数量（ｎ＜ｍ）、及び現在需要予測値：β、とする。
【発明の詳細な説明】
【技術分野】
【０００１】  本発明は、企業が在庫確保のためなどに行う、購買発注数量計算方式に関するものである。
発注数量の算出方法を、未着在庫を加味することにより、発注数量の平準化と需要変動への対応の両立を図るものである。
【背景技術】
【０００２】  需要数量と適正在庫水準維持の為の数量を、それぞれ個別に計算して発注する方法については、特許文献１にて出願済。
【特許文献１】  特願２００７−２６７１９０
【発明の開示】
【発明が解決しようとする課題】
【０００３】  特許文献１にある方法を、需要変動よりも発注の変動を小さくすることが出来るように改良したものである。
本発明による方法を使えば、購買発注の結果である在庫数量の推移を大きく変動させることなく、在庫数量を適正な水準に戻す為の購買発注を行うことが出来る。
【課題を解決するための手段】
【０００４】  この課題を解決するための請求項１の発明は、需要数量と、適正在庫水準維持の為の発注数量の計算に理論在庫数量を用いることである。
【発明の効果】
【０００５】  本発明により、需要変動よりも変動幅の少ない発注で、ブルウィップ現象を引き起こさずに、なおかつ、適正在庫水準を保つための購買発注数量が簡単に計算することが出来る。
【実施例】
【０００７】  表計算ソフトウェアを用いて、請求項１の発明を使用した在庫数量推移をシミュレートした結果は以下のようになる。
このシミュレーションは、リードタイム：４、受注数量：１０〜１８０、受注平均数量：８０（６３期まで）〜１００（６４期以降）、分散：３３程度、というデータを作成し、行った。また、２２期に上記統計の例外データ（１２０程数量を増加させた）を挿入した。２２期直後、６３期直後に在庫数量がほぼ０になっているのはそのためである。
【グラフ１】
2009193554.tif 000002
【グラフ１】
2009193554.tif 000003
【産業上の利用可能性】
【０００９】  本発明を利用すると、需要変動よりも触れ幅の小さい発注数量決定が期待でき、企業にとって有益な発注方法となる。
また、本発明をプログラム化することにより、自動発注システムを構築することも出来、人件費削減にも利用できる。
(57)【要約】【課題】  これまで保険検討の際には個別に各保険専門家にプラン設計依頼をする必要があり、時間や手間がかかるなど保険選びに際し困る点が多かった。【解決手段】仲介者があらかじめユーザーから受け取った情報を各保険専門家にまとめて提供し、各々の保険専門家が保険プランを設計する。その後設計された保険プランを受け取り、ユーザーが各プランを比較しやすいようインターネットを通じて表示・または提供する。これによりユーザーはこれまで以上に簡単かつ時間をかけずに最適の保険プランを選択することができる。【選択図】図１
2009193556.tif 000002
【特許請求の範囲】
【請求項１】
あらかじめユーザーが提供した情報をもとに複数の保険専門家が保険プランを設計し、それらを比較しやすい形でインターネットを通じて表示させるシステム。
【発明の詳細な説明】
【技術分野】
【０００１】この発明は、インターネットを通じて保険プラン設計を複数の保険専門家に一括して依頼し、その比較を行うためのシステムに関するものである。
【背景分野】
【０００２】これまで保険プラン設計を一括して依頼できる仕組みがなく、個別に専門家に設計依頼する必要があった。
【発明の開示】
【発明が解決しようとする課題】
【０００３】  これまで保険検討の際には個別に各保険専門家にプラン設計依頼をする必要があり、時間や手間がかかるなど保険選びに際し困る点が多かった。
本発明は、上記のような欠点をなくすためになされたものである。
【課題を解決するための手段】
【０００４】  仲介者があらかじめユーザーから保険プラン設計に必要な情報をヒアリングし、一括して専門家にプラン設計依頼をする。
【発明の効果】
【０００５】  複数のプラン設計を同時に行わせ、そのプラン比較表示をＷｅｂ上で行うことでユーザーはこれまでになく簡単に最適のプランを見つけることができる。
【発明を実施するための最良の形態】
【０００６】仲介者があらかじめユーザーから受け取った情報を各保険専門家にまとめて提供し各々がプラン作成する。その後設計された保険プランを受け取り、ユーザーが比較しやすいようＷｅｂ上に表示する。
これによりユーザーはこれまで以上に簡単かつ時間をかけずに最適の保険プランを選択することができる。
【図面の簡単な説明】
【０００７】
【図１】は、本発明における経路を示した概念図である。
【図１】
2009193556.tif 000003
(57)【要約】【課題】従来、ダイヤモンドの研磨は、輝きを増幅させる為カット数が多い立体的な研磨が多かったが、平面的なカットでダイヤモンド持つ透明性の美しさを幅広く表現させる。【解決手段】平面的板状にカットしたダイヤモンドを様々な、平面的なデザインにカットしダイヤモンド自体の透明性や輝きを、斬新的で様々なデザインで顕現する。【選択図】図３
2009090447.tif 000002
【特許請求の範囲】
【請求項１】
ダイヤモンドの平面的板状カット。
【発明の詳細な説明】
【技術分野】
【０００１】従来、ダイヤモンドのカット方法は、輝きを増す為に、ブリリアンカットやマーキスカット等の立体的でカット数の多い研磨方法が多かった。  本発明はダイヤモンドの石自体を平面的板状にカットし、板状にカットする事により、平面的形状の様々なデザインの創作が可能となりダイヤモンド自体の持つ透明性や輝きで更にダイヤモンドの幅広い美的価値を高める極めて優れた発明である。
【背景技術】
【０００２】従来、装飾用のダイヤモンドはブリリアンカットやマーキスカット等、ダイヤモンドの輝きを増す為の立体的な、カットの多い形状が主流であった。
【発明の開示】
【発明が解決しようとする課題】
【０００３】そもそも装身具用のダイヤモンドは透明度の高い美しい宝石である。  その美しいダイヤモンドに輝きを更に増すために、ブリリアンカットやマーキスカットなどの立体的でカット部分の多い形状が多かった。
【課題を解決するための手段】
【０００４】ダイヤモンドの原石から、ダイヤモンドを一定の厚みで平面的板状にカットし、更に、板状にカットする為、幅広い平面的なの形状にデザインする事が可能となり、ダイヤモンド自体の持つ透明性や輝きを活かしたピアスイヤリングやペンダンド等の美しい装身具に創作する事が出来る。
【発明の効果】
【０００５】従来、ダイヤモンドのカットは、ダイヤモンドの輝きを増幅させる為、ブリリアンカットやマーキスカットの様に、立体的なカット部分の多い研磨方法が主流であった。
本発明は、装身具用のダイヤモンド自体を板状にカットし、更に板状にカットする事により、幅広く様々なデザインが可能となり、ダイヤモンドの持つ透明性や輝きを活かした新たな美的価値を表現する極めて優れた発明である。
【発明を実施する為の最良の形態】
【０００６】以下、本発明の実施例について説明する。
（イ）  参考例として板状三角形にカットした図。（１）
（ロ）  板状三角形のダイヤモンドに危険防止に各、角を削り一部に穴を空けた図である。（２）
（ハ）  空けた穴にリングを通し（３）、ピアスイヤリングやペンダントとして美しく使う。
【図面の簡単な説明】
【０００７】
【図１】平面的板状のダイヤモンドを参考例として三角形にカットした斜視図である。
【図２】三角形にカットしたダイヤモンドの一部に穴を空けた図である。
【図３】三角形の平面的板状のダイヤモンドに穴を空けリングを通した斜視図である。
【符号の説明】
【０００８】（１）平面的板状のダイヤモンドを参考例として三角形にカットした斜視図である。
（２）三角形にカットしたダイヤモンドに、危険防止に各、角を削り、一部に穴を空けた図。
（３）三角形の平面的板状のダイヤモンドに穴を空け、リングを通した図。
【図１】
2009090447.tif 000003
【図２】
2009090447.tif 000004
【図３】
2009090447.tif 000005
(57)【要約】【課題】手帳に懐中電灯を付けた、照明付き手帳を提供する。【解決手段】手帳のカバーの内部に固定板を設け、固定板に倒立自在の自在軸と固定ヅメを設け自在軸の上部に懐中電灯を設けたことを特徴とする照明付き手帳である。【選択図】図１
2009090626.tif 000002
【特許請求の範囲】
【請求項１】
手帳のカバーの内部に固定板を設け、固定板に倒立自在の自在軸と固定ヅメを設け、自在軸の上部に懐中電灯を設けたことを特徴とする照明付き手帳。
【発明の詳細な説明】
【技術分野】
【０００１】  本発明は、照明を付けた手帳に関するものである。
【背景技術】
【０００２】  従来、照明付き手帳は台紙に収容したバッテリーを手帳に綴じ込んでいた。
【特許文献１】特開平１１−７０７６１号公報
【発明の開示】
【発明が解決しようとする課題】
【０００３】  それには次のような問題点があった。
（イ）バッテリーを収容するための空間があまりにも大きく、本来の目的である手帳としてのシンプルさに欠ける。本発明は、以上の問題点を解決するためのものである。
【課題を解決するための手段】
【０００４】  手帳（１）のカバーの内部に固定板（２）を設け、固定板（２）に倒立自在の自在軸（３）と、自在軸（３）を収納時に固定する固定ヅメ（４）を設け、自在軸（３）の上部に懐中電灯（５）を設けたことを特徴とする照明付き手帳である。
【発明の効果】
【０００５】暗所でも使用できる
【発明を実施するための最良の形態】
【０００６】以下、本発明の実施の形態について説明する。
（イ）手帳（１）のカバーの内部に固定板（２）を設け、固定板（２）に自在軸（３）と固定ヅメ（４）を設ける。
（ロ）自在軸（３）の上部に懐中電灯（５）を設ける。
本発明は、以上のような構成で、これを使用するときは自在軸（３）を持ち上げ、懐中電灯（５）を手帳（１）に向け、最も使用しやすい角度に合わせる。
【図面の簡単な説明】
【０００７】
【図１】本発明の斜視図
【図２】本発明、自在軸（３）と懐中電灯（５）の収納時の平面図
【図３】本発明の固定板（２）と自在軸（３）固定ヅメ（４）との関わりを示す斜視図
【符号の説明】
【０００８】  １  手帳
２  固定板
３  自在軸
４  固定ヅメ
５  懐中電灯
【図１】
2009090626.tif 000003
【図２】
2009090626.tif 000004
【図３】
2009090626.tif 000005
(57)【要約】【目的】本発明は、食器洗浄機の食器バスケットの下部に小食器の落下を防止するために設けた細線ネットに関する。【構成】本発明は食器洗浄機の食器バスケットと、小食器の落下を防止する目的で、食器バスケットの下に設けた細線ネットにより構成する。【選択図】図２
2009090076.tif 000002
【特許請求の範囲】
【請求項１】
食器洗浄機の食器バスケット下部に設け、小食器の落下を防止する細線ネット。
【発明の詳細な説明】
【発明の詳細な説明】
【産業上の利用分野】
【０００１】  本発明は、食器洗浄機の食器バスケットの下部に設け、小食器の落下を防止するために設けた細線ネットに関する。
【背景技術】
【０００２】  従来、食器洗浄機の内部に設けた食器バスケットは、その構成枠の幅が大きく、小食器を保持することが困難であり、小食器がバスケットから落下して、洗浄水を噴出するローターの回転部に落ちて、ローターの回転を止めたり、円滑な洗浄水の循環を妨げたり、食器の洗浄を停滞させることがしばしば起こった。
【発明が解決しようとする課題】
【０００３】  本発明は、上記従来技術の欠点を解決する目的で開発したものであり、小食器などが下部に落下して食器洗浄機の洗浄水噴射ローターの回転を止めることがないように、食器バスケットの下に狭い幅の細線ネットを設け、小食器の落下を防止するものである。
【課題を解決する手段】
【０００４】  本発明は、食器洗浄機の食器バスケットの下に細線のネットを設けたものである。この細線ネットは洗浄される食器と洗浄水噴射ローターの間にあり、洗浄水の噴射を抑制することなく、細線と細線の  幅を１０ｍｍ〜１５ｍｍ程度にしたものである。
【作用】
【０００５】  この細線ネットは、スプーンやフォークといったものを横に寝かせて置いたり、細い箸でもそのまま細線ネット上に横に載せるだけで、下の洗浄水噴射ローターからの水流を直接受けて洗浄され、それらの小食器はローターの回転に影響を与えることなく、ローターの自由な回転を維持するものである。
【本発明の効果】
【０００６】  以上のように本発明細線ネットはこれまで洗浄水の円滑な循環を阻止しないように設計された食器バスケットを、やはりローターからの洗浄水噴射を抑制しない設計の細線ネットによって、洗浄水の水流を抑制することなく、従って洗浄水の洗浄力を落とすことなく、小食器を洗いやすく並べられるようにしたものである。
【図面の簡単な説明】
【図１】  食器洗浄機の食器バスケット
【図２】  本発明の概念図
【符号の説明】
１    食器バスケット
２    細線ネット
【図１】
2009090076.tif 000003
【図２】
2009090076.tif 000004
(57)【要約】      （修正有）【課題】刷毛の毛の束ね部分に近い所の毛が膨らむような事はなくなる、すなわち、毛の部分の毛細現象は、毛がちびるまで働きこの刷毛を長時間使用可能とする。【解決手段】柄３の切り込み部分４の先端部分の内側両部分に段差５を設け、束ねた毛２を挟み、数ヶ所の貫通穴６を空け、結束線７で段差部分と束ね帯１で束ねた毛２を数ヶ所に分け固縛する事で、柄３の先端部分と束ねた毛２との間に、隙間を生じさせた刷毛により行う。【選択図】図１
2009090078.tif 000002
【特許請求の範囲】
【請求項１】
毛と柄の間に隙間を設ける事を特徴とする刷毛。
【発明の詳細な説明】
【産業上の利用分野】
【０００１】  本発明は、刷毛に関するものである、刷毛を構成する毛の部分を長くする事なく、毛の腰は強く、しかも、毛が塗材を吸収する力と毛先のしなりを向上させ、さらに、塗布作業時に手や腕に掛かる力の負担を大幅に緩和し、しかも、塗布作業後に毛の束ね部分に近い所の毛の内部に付着した塗材を、簡単に素早く完全に除去出来るようにしたものである。
【背景技術】
【０００２】  従来の刷毛の形状は、中央部分に切り込みを入れた柄の部分を大きく割り開き、その部分に、束ねた毛を挟み込み、毛の束ね帯の幅先部分と柄の先端部分の面を合わせて、柄と束ね帯で束ねた毛の部分の数ヶ所に貫通穴を設け、そこに、結束線を通し、それで、数ヶ所に分け縛り結束して、毛の部分の毛細現象を用いて、そこに、塗材を吸収させ、塗面に塗材を塗布する事を目的とする構造であった（図２参照）。
そのため、毛の束ね部分の径が大きくなればなるほど、毛の束ね部分に近い所の毛の内分は、非常に固くなるため、毛の部分の塗材を吸収する力と毛先の部分のしなりを向上させるためには、どうしても毛全体を、特別に、長くしなければならなかった。
だから、長い時間塗布作業を行っていると、毛の束ね部分に近い所の毛の内部の毛が押し合う度合いが大きいため、刷毛の毛先のしなりが重く、長い時間塗布作業を行っていると、手や腕に掛かる力の負担が大きく大変疲れるものであった。
さらに、塗布作業に用いた刷毛の、毛の束ね部分に近い所の毛の内部に付着した塗材を除去する作業に長い時間を要し大変苦労するものであった。
しかも、刷毛の毛の束ね部分に近い所の毛の内部に付着した、塗材の除去が完全に出来ず、その部分に残った塗材が硬化する為、毛の束ね部分に近い所の毛の内部が膨らみ、毛先の部分が大きく広がり過ぎて、毛は十分あるにもかかわらず、毛の部分に毛細現象が生じなくなり、短時間で使用できなくなり処分されるだけであった。
【発明の開示】
【発明が解決しようとする問題点】
【０００３】  したがって、従来の刷毛の構造では、上記の如く、非常に不便である（図２参照）。
また、各メ−カ−とも、この刷毛を莫大な研究費と試作費を費やして研究したが解決しなった。
本発明は、こうした使用者の強い要望にこたえるために発明されたのである。
【問題を解決するための手段】
【０００４】  この問題を解決するための請求項の発明は、毛の束ね部分を挟み込む、柄の切り込み部先端の内側両部に、段差を設ける事で問題を解決したものである。
いま、その構成を説明すると、
（イ）幅を狭くした束ね帯（１）で毛を束ね、束ねた毛（２）を作り。
（ロ）柄（３）の切り込み部分（４）の先端部分の内側両部に段差部（５）を設ける。
（ハ）柄（３）の切り込み部分（４）を大きく割り開き、束ねた毛（２）を挟み込み。
（ニ）柄（３）の部分と束ね帯（１）で束ねた毛（２）の部分に数ヶ所の貫通穴（６）を設け。
（ホ）貫通穴（６）に結束線（７）を通し。
（ヘ）結束線（７）で柄（３）の部分と束ね帯（１）で束ねた毛（２）を数ヶ所に分けて固縛する。
以上のように構成した刷毛。
【発明の効果】
【０００５】  次に本発明の効果を述べると、毛の長さを短くする事で毛の腰は強くなり、さらに、柄と束ねた毛の間に隙間部分が生じる事で、毛の束ね部分の径が大きい刷毛でも、毛の束ね部分に近い所の内部の毛は非常に柔軟に動くようになる。
したがって、柄と束ねた毛の間に隙間部分が生じる事で、毛の束ね部分に近い所の内部の毛が柔軟に動く事で、塗材を吸収する時に、毛全体がより大きく膨らみやすくなる、その事から塗材を吸収する力は非常に増す。
しかも、柄と束ねた毛の間に隙間部分が生じる事で、毛の束ね部分に近い所の内部の毛が柔軟に動く事で、常に毛先のしなりは滑らかに動くようになる。
したがって、柄と束ねた毛の間に隙間部分が生じる事で、毛の部分の塗材を吸収する力、ならびに、毛先のしなりは非常に向上する、だから、毛全体を、特別に、長くする必要はなくなる。
また、柄と束ねた毛の間に隙間部分が生じる事で、毛の束ね部分に近い所の毛が柔軟に動く事で、長い時間塗布作業を行っていても手や腕に掛かる力の負担は大幅に緩和され、非常に疲れにくくなる。
なお、柄と束ねた毛の間に隙間部分が生じる事で、毛の束ね部分に近い所の内部の毛が柔軟に動く事で、塗布作業後、毛の束ね部分に近い所の内部に付着した塗材を除去する時に、除去材が素早く毛の束ね部分に近い所の毛の内部まで行き届くため、その部分に残る塗材の除去が短時間で簡単に素早く完全に出来るようになる。
そのため、刷毛の毛の束ね部分に近い所の毛が膨らむような事はなくなる、すなわち、毛の部分の毛細現象は、毛がちびるまで働く、だから、この刷毛は長時間使用可能となる。
【発明を実施するための最良の形態】
【０００６】  図１は、柄の切り込み部分の先端部分の内側両部分に段差を設ける事で、柄の先端部分と束ねた毛の部分との間に隙間部分を生じさせた刷毛の断面図である、同図に示すように、刷毛の柄の先端部分と束ねた毛の部分との間に隙間部分を設ける事で、毛の束ね部分の径の大きい刷毛でも、毛全体を、特別に、長くする事なく、毛の部分が塗材を吸収する力は、非常に良くなる。
さらに、毛の部分のしなりは、毛がちびるまで滑らかに働く。
【産業上の利用可能性】
【０００７】  本発明に係る刷毛は、工業的に量産する事が可能であるため、産業上の利用可能性を有す。
【図面の簡単な説明】
【０００９】
【図１】  柄の切り込み部分の先端部分の内側両部分に段差を設け、切り込み部分を大きく割り開き、幅の狭い束ね帯で束ねた毛の部分を挟み込み、結束線を用いて柄と束ねた毛を固縛する事で、刷毛の柄の先端部分と束ねた毛の部分の間に、隙間部分を生じさせた刷毛の断面図である。
【図２】  従来の形状を表した刷毛の断面図である。
【記号の説明】
【００１０】１    束ね帯
２    束ねた毛
３    柄
４    切り込み部分
５    段差
６    貫通穴
７    結束線
【図１】
2009090078.tif 000003
【図２】
2009090078.tif 000004
(57)【要約】【課題】就寝中の大地震発生時に足と頭を保護し出来る、防災枕を提供する。【解決手段】枕を２重構造にして足を保護する簡易靴と、防災頭巾として使用する際に必要な紐を内蔵し、枕自体を防災頭巾に転用出来る防災枕。【選択図】図２
2009090072.tif 000002
【特許請求の範囲】
【請求項１】
枕を上部と下部の２枚で構成し、下部の枕の内部両隅の上下にポケット４個を設け、ポケッと内に簡易靴を内蔵し、枕自体を防災頭巾に転用するために必要とする紐も内蔵して、Ｌ型に一部縫合し、残りの部分をファスナー２枚で閉じたことを特徴とする防災枕。
【発明の詳細な説明】
【技術分野】
【０００１】本発明は、夜間就寝時に大地震が発生し即座に避難する場合、怪我をするのを防ぐため、枕の中に足を保護する簡易靴を内蔵し、頭を保護するため枕を防災頭巾に転用できる防災枕に関するものである。
【背景技術】
【０００２】阪神大震災の体験者が異口同音に発する言葉は「常時就寝時には必ず靴を枕もとに置くこと」である。大地震が発生し停電で真っ暗になれば近くに置いた靴でも探すのに時間がかかる。まして防災頭巾は必要だと思っても用意してある人は殆ど無い。以上の問題点を解決するためになされたものである。
【発明の開示】
【発明が解決しようとする課題】
【０００３】そのために次のような問題点があった。
夜間就寝中の大地震の場合全くの無防備の態勢の中で即時に避難しようと思っても、破砕したガラスで足を切って怪我をしたり、上からの落下物が頭に直接当たれば大怪我になる。本発明は以上の問題点を解決するものである。
【課題を解決するための手段】
【０００４】枕を二重構造にして、内部に動きを防ぐためのポケット（２）を付け、その中に簡易靴（４）を収納し、使用していた枕を防災頭巾として頭に被り、その場合両手を使えるよう、又脱げないように結わえる紐を内蔵してファスナーで閉じた枕である。以上両用を特徴とする防災枕である。
【発明の効果】
【０００５】本発明は就寝中一番手近かにある枕のファスナーを開けて、中のポケットにある簡易靴で足を保護し、ファスナーがＬ字型に開く為に下部が二つに分かれる枕を防災頭巾として頭に被り頭を保護出来る。停電で真っ暗闇になっても手探りで出来る行為である。
【発明を実施するための最良の形態】
【０００６】以下、本発明の実施の形態を説明する。
（イ）枕は枕上部（１）と枕下部（１′）の２枚で構成し、防災頭巾として転用する場合の前部（５）と、下部及び後部半分の（５′）をファスナー各１枚ずつ２枚で閉じ、残り部分は縫合する。
（ロ）ファスナーは防災頭巾として被った場合の、前部の最下部を基点（６）とし前部（５）は直線で、下部（５′）は後部へ向けて、角で直角に上へ約半分ぐらいＬ型に取りつける。
（ハ）枕下部（１′）の両側隅に上下計４箇所にポケット（２）を取り付ける。
（ニ）簡易靴（４）の片足ずつを両側のポケット（２）へ上下を押し込んで内蔵する。
（ホ）紐（３）は防災頭巾として使用した場合、後ろから前に持ってきて結ぶため本来は外部にあるべきで、枕の外部から内部へ入れるため（５′）の後部ファスナーの終点の上部に２センチ程の導入ロ（３′）を作り、内部へ入れ、畳み込んでおく。
（ヘ）簡易靴（４）の底部は破砕したガラス片とか陶器片等が防げる素材で上部は柔軟性があり地厚で履き口は簡単に履くことが出来るゴム入りにし、枕として使用している場合音を感じさせない素材で製作する。
本発明は以上の構成からなるので本発明を使用する時は、ファスナーの基点（６）から両方向へファスナーを開き、内蔵してある簡易靴（４）を履き、紐（３）を外部に出してから前に持ってきて顔の前で結ぶ。その動作は真つ暗闇でも簡単に出来る行為である。
【図面の簡単な説明】
【０００７】
【図１】本発明の外観図
【図２】本発明の内部展開図
【図３】本発明の内蔵物図
【図４】本発明の使用状態図
【符号の説明】
【０００８】    １      枕上部
１′    枕下部
２      ポケット
３      紐
３′    紐導入部
４      簡易靴
５      前部のファスナー付け部分
５′    下部及び後部のファスナー付け部分
６      ファスナー基点
【図１】
2009090072.tif 000003
【図２】
2009090072.tif 000004
【図３】
2009090072.tif 000005
2009090072.tif 000006
【図４】
2009090072.tif 000007
【手続補正書】
【提出日】平成19年12月12日(2007.12.12)
【手続補正１】
【補正対象書類名】図面
【補正対象項目名】全図
【補正方法】変更
【補正の内容】
【図１】
2009090072.tif 000008
【図２】
2009090072.tif 000009
【図３】
2009090072.tif 000010
【図４】
2009090072.tif 000011
(57)【要約】      （修正有）【課題】カレーやポトフ等が付いたものをそのまま冷蔵庫に収納できるオタマを提供する。【解決手段】オタマの柄を伸縮可能とする機構を備える。【選択図】図２
2009090080.tif 000002
【特許請求の範囲】
【請求項１】
ここから書き始めます。
伸縮のできるおたま、
【請求項２】
ここから書き始めます。
何にで作っても同じ機構の物は不可とする
注．（１）特許を受けようとする発明を特定するために必要な事項のすべてを記載した項（請求項）に区分して記載して下さい。
（２）請求項ごとに行を改め、番号を付して下さい。（請求項の数が１の場合でも、「［請求項１］」と記載して下さい。
又、２以上の場合は、「［請求項１］」、「［請求項２］」のように連続番号を付して下さい。）
【発明の詳細な説明】
【技術分野】
【０００１】
【背景技術】
【０００２】
【特許文献１】
【発明の開示】
【発明が解決しようとする課題】
【】
カレーやポトフ等オタマに付いたのをそのまま冷蔵できる
【課題を解決するための手段】
【】
カレーやポトフ長いのでうまく入いらなのでオタマの柄を伸縮する物
【発明の効果】
【】
カレーやポトフ、ベッタリ付いたまま冷蔵庫そのまゝピッタリ冷蔵庫に治る
【発明を実施するための最良の形態】
【】
これを使えば大き鍋も小さい鍋も蓋も、ぴったり付く
【図１】
2009090080.tif 000003
【図２】
2009090080.tif 000004
【手続補正書】
【提出日】平成19年12月5日(2007.12.5)
【手続補正３】
【補正対象書類名】明細書
【補正対象項目名】全文
【補正方法】変更
【補正の内容】
【発明の詳細な説明】
【発明が解決しようとする課題】
【０００１】カレーやポトフ等オタマに（鍋のまゝ）冷蔵庫に治る
カレーやポトフ等オタマに付いたのをそのまま冷蔵できる
【課題を解決するための手段】
【０００２】いちいちベッタリ付いたまゝ治る
カレーやポトフ長いのでうまく入いらなのでオタマの柄を伸縮する物
いちいちベッタリ付いたのを洗はなくて済む
【発明の効果】
【０００３】  カレーやポトフ、ベッタリ付いたまま冷蔵庫そのまゝピッタリ冷蔵庫に治る
【発明を実施するための最良の形態】
【０００４】名称は伸縮オタマ
これを使えば大き鍋も小さい鍋も蓋も、ぴったり付く
【図面の簡単な説明】
【０００５】オタマの柄が内側又は外側に伸縮出来る物、【図１】伸縮おたまの上面図
【図２】伸縮おたまの側面図及び使用例を表す図
【手続補正４】
【補正対象書類名】図面
【補正対象項目名】全図
【補正方法】変更
【補正の内容】
【図１】
2009090080.tif 000005
【図２】
2009090080.tif 000006
(57)【要約】【課題】ホテルなどの宿泊施設やマンションなどの住居等に広く普及・設置しやすくするための、使いやすく安価で簡便な耐火スーツ【解決手段】  耐炎性がある事がわかった「水を吸収しジェル化した高分子吸収体」を使用した耐炎シートと、この素材を使った火災時に避難路を確保するための耐火スーツ。【選択図】図１
2009090079.tif 000002
【特許請求の範囲】
【請求項１】
高分子吸収体を、ガラスクロスなどの耐熱素材で包みこんだ耐炎シート。
【請求項２】
この耐炎シートを使用して作った耐火スーツ。
【発明の詳細な説明】
【発明の詳細な説明】
【技術分野】
【０００１】  この発明は、火災に遭遇した場合に炎や熱風・煙などから身体を保護し安全な避難路を確保するために着用する耐火スーツにかんするものです。
【背景技術】
【０００２】  従来、火災に遭遇した場合には水に浸したシーツやタオルを身にまとい、口をタオルで覆い隠して煙を吸い込まないようにして逃げるなどの原始的な方法しかなかった。
【発明が解決しようとする課題】
【０００３】  しかし、現在では建物の高層化が進んだ上、建材に高熱を発し有害な煙を多量に発生させる化学物質が随所に使われていたりするので実際火災に遭遇した場合、避難路を確保することが難しくなった場所が数多く存在する。
このため、実際に火災が発生した場合には、避難口や脱出用シューターなどが比較的各所に設置されているにもかかわらず、煙に巻かれて呼吸ができなくなって死亡してしまう例や、炎や熱風に避難路をふさがれて大やけどを負ってしまったり、逃げられずに焼死してしまう事例が数多く存在した。
【課題を解決するための手段】
【０００４】  このような事態に遭遇した場合に、たとえ数分間でも煙や炎・熱風から身体を保護できるスーツがあれば、非常口や避難シューターなどにたどり着くことができる可能性が高くなり、生命を損なわずに済むのではないかと考え、以下のような防火スーツを考案した。
【発明を実施するための最良の形態】
【０００５】１）高分子吸収体は一般に紙おむつなどに広く使用されているが、この度、水分を吸収しジェル化した高分子吸収体には高い耐炎性・遮熱性があることを発見した。
そこで、この素材を使用することで耐炎性を持つシートを作ることができると考えた。表面に耐熱性のあるガラスクロスやセラミッククロスなどの素材を使用し、その下にこの高分子吸収体を内包する。更に外熱によって高分子吸収体が熱を蓄えてしまった場合でも身体を保護できるようにグラスウールなどの難燃性のある断熱材の層を設置し、さらにグラスウールなどから皮膚を守るため不織布などをあてた『複合素材』を考案した。
２）次にこの素材をつかった『耐火スーツ』を考案した。
これは、火災時の高熱から身体を保護できるように全身を覆う、雨合羽のような格好の耐火スーツであり、視界を確保するために目の部位に耐熱性のゴーグルを設置し、煙から目を守れるように顔面にフィットできるようにする。
また、煙の吸い込みによって呼吸ができなくなることを防止するために、防煙マスクあるいは簡易な酸素ボンベを装備する。（酸素ボンベはいささか高価になりそうであるが、火災時には空気中の酸素量が減少していることが考えられるのでできれば酸素ボンベをお勧めしたいと思う。）
【発明の効果】
【０００６】  実際に火災に遭遇した場合には、まず、このシート（スーツ）に水をかける。すると、高分子吸収体が水を吸収してジェル化し、数分間ではあるものの、耐炎性・遮熱性を持たせることができるようになる。このスーツを着て脱出を図るものである。
表面の耐熱素材は単体では高温に対してややもろいが、下層の高分子吸収体に含まれた水分が表面の保護に役立ち、ジェル化した高分子吸収体が高熱を遮断し身体を保護する。仮に長時間高分子吸収体が火に当てられて高熱になっても、その下の断熱層があるので、ある程度まで熱を防ぐことができる。（図１）
ただし、高分子吸収体は単体では水分を吸収しすぎると、軟いジェル状態になってしまって流れ出してしまったり、自重に負けて下の方に垂れてきてしまったりして炎を十分に防ぐだけの厚みを保てなくなってしまう懸念があるので、それらを防止するために難燃性のパルプを混入したり、極微細のグラスウールを混入したりする必要性があると考えられる。
このように、それぞれの素材の特徴を生かす多層化によって耐炎性の高い素材を作ることができた。そこで、この素材を使用し、なおかつ火災時の炎や熱風から全身を守るために耐火スーツを考案した。（図２）実際これは着用しやすく動きやすくするために全身を覆う『つなぎタイプ』が有効であると思う。
そして、防煙マスクや酸素ボンベによって煙の吸い込みによる呼吸不全を防ぎ、耐熱性のあるゴーグルを顔面にフィットさせることによって煙による視界障害を排除することができるような機能を持たせた。
このスーツを着用することで避難路の確保をはかるものである。
尚、水の確保については、火災の場合には消火栓やスプリンクラーなどの必然性から、一般に電気やガスなどとは違って水の遮断は行なわれないために、トイレや給湯室など火災時においても水を確保することは十分に可能であると考えられる。
一般的に高分子吸収体は広く紙おむつなどに使われているので、材料費は安くできる上に使用時に水を含ませて使うため通常時には軽く、使用しない時には小さく折りたためるなど取り扱いが非常に楽なので、通常の保管は実に簡単であり、ホテルなどの宿泊施設や一般のマンションなどの住居・オフィスなどに広く普及させることができるのではないかと考えられる。
また、消防士などの装備として今までの消防服の下に耐熱スーツとして着用すれば、仮に消火作業中に火炎を浴びた場合でも、やけどなどの防止に役立つと考えられる。
尚、このスーツは内包する高分子吸収体の量により耐炎性などの性能が大きく変わるので状況に合わせて（例えば石油コンビナートなどの高熱を発生させる恐れのある現場など）高分子吸収体の内包量を変えたり、２重にしたりするなどの方策が考えられる。ただし、この素材は水分を吸収して使うため、内包量が多くなるとそれだけ重くなってしまうので注意が必要であると考えられる。（例えば２リットルの水を吸収するとそれだけで２ｋｇ増になってしまう。）
ただし、逆に宿泊施設などに安価な製品を設置させる場合などは、薄く簡便なタイプを考案することもできるなど設置場所や使用の状況などにあわせた作り方ができるので実用性・利便性が高いと思われ、実際他に代わるものが無い以上、現段階ではもっとも実用化が期待できる方法であると考えられる。
尚、この素材は防煙・防炎カーテンなど建築用の耐炎素材としても有効であると考えられる。
【図面の簡単な説明】
【０００７】
【図１】  素材の構造
【図２】  本考案の正面図
【符号の説明】
【０００８】（１）耐熱シート（ガラスクロスやセラミッククロスなど）
（２）高分子吸収体と難燃素材を混合した断熱層
（３）断熱層（グラスウールなど）
（４）不織布
（５）（耐熱性のある）防煙ゴーグル
（６）マスク（防煙マスク、または酸素ボンベ付のマスク）
（７）本体
（８）チャック
（９）手袋
（１０）ブーツ
【図１】
2009090079.tif 000003
【図２】
2009090079.tif 000004
(57)【要約】【課題】  フライパンの中の部分に１箇所〜２箇所の仕切りを付け，仕切ってできた形のサイズの蓋を付けることにより，１口コンロで一度に２〜３種類の調理ができ，更に，蓋の必要のない調理の場合は，蓋を使わないで使用することができる調理器具を提供する。【解決手段】  １個のフライパンの中に仕切りをし，仕切りをしたことでできた形のサイズに合う蓋をつけたことで，２個〜３個の鍋やフライパンの役目をする調理器具を特徴とする。【選択図】図１
2009090077.tif 000002
【特許請求の範囲】
【請求項１】
仕切りをしたフライパン
【発明の詳細な説明】
【技術分野】
【０００１】  この発明は，フライパンの中に仕切りをつけた，調理器具に関するものである。
【背景技術】
【０００２】  従来のフライパンは，１回で１品の料理を作る調理器具であった。
【発明の開示】
【発明が解決しようとする課題】
【０００３】  これは次のような欠点があった。
（イ）  フライパン１個につき，１種類の料理しか作れなかった。
（ロ）  ２種類，３種類の料理を作ろうとすると，使うたびに洗って使用しなければならなかった。
本発明は，これらの欠点を除くためになされたものである。
【課題を解決するための手段】
【０００４】  本発明は，フライパンの内側に，周囲と同じ高さの（１）〜（２）のような仕切りを設ける。
そして，それぞれの仕切られ形（３）（４）（５）の形に合う蓋（６）（７）（８）を作る。
本発明は，以上のような構成によりなる調理器具である。
【発明の効果】
【０００５】  発明は以上のような構造で，これを使用するときは，従来のフライパンと変わりなく使用しながら，仕切りがあることで，少量なら２〜３種類の料理を同時に作ることができる。
また，蓋を使うと煮物が可能になるので，調理に幅ができる。
さらに，１口のコンロで２〜３種類出来るので，消費エネルギーは１回分ですむことになる。洗う手間や洗剤も１回分で良い。時間も１回分ですむので時間短縮になる。
【発明を実施するための最良の形態】
【０００６】  以下，本案の実施の形態について説明する。
（イ）  フライパンの内側に仕切り（１）〜（２）を設ける。
（ロ）  仕切りで形（３）（４）（５）ができる。
（ハ）  （３）（４）（５）に蓋（６）（７）（８）を設ける。
本案を使用するときは，炒め物や卵焼きの場合はこまめに焦げ付かないように気をつけて調理をするとよい。また，蓋があるので少量の煮物は調味料を入れて煮ることができる。また，一人分程度のホーレン草もゆでることができ，一度に２〜３種類の調理が可能になる。
【図面の簡単な説明】
【０００７】
【図１】  本発明の斜視図である。
【図２】  本発明の一部を切り抜いた側面図である。
【図３】  本発明の他の実施例を示す斜視図である。
【符号の説明】
【０００８】  （１）仕切り
（２）仕切り
（３）仕切ってできた形
（４）仕切ってできた形
（５）仕切ってできた形
（６）（３）に合う蓋
（７）（４）に合う蓋
（８）（５）に合う蓋
（９）フライパンの柄
【図１】
2009090077.tif 000003
【図２】
2009090077.tif 000004
【図３】
2009090077.tif 000005